(57)【要約】【課題】互いに異なる構造の躯体であっても取り付けることが可能な枠体の取付方法等を提供する。【解決手段】壁に設けられる枠体と、前記壁内の躯体と前記枠体との間に介在され、前記躯体への取付具の取付方向が互いに異なる複数種類のアタッチメントから選択したアタッチメントと、を、前記枠体の被枠体固定部と前記アタッチメントの枠体固定部とにて固定具で固定する固定工程と、前記枠体が固定された前記アタッチメントを、当該アタッチメントの取付部にて前記取付具により前記躯体に取り付ける取付工程と、を有する。【選択図】図２
2009243047.tif 000002
【特許請求の範囲】
【請求項１】
壁に設けられる枠体と、前記壁内の躯体と前記枠体との間に介在され、前記躯体への取付具の取付方向が互いに異なる複数種類のアタッチメントから選択したアタッチメントと、を、前記枠体の被枠体固定部と前記アタッチメントの枠体固定部とにて固定具で固定する固定工程と、
前記枠体が固定された前記アタッチメントを、当該アタッチメントの取付部にて前記取付具により前記躯体に取り付ける取付工程と、
を有することを特徴とする枠体の取付方法。
【請求項２】
請求項１に記載の枠体の取付方法であって、
前記アタッチメントが前記躯体に取り付けられた際に外部に露出しない位置にて、前記枠体と前記アタッチメントとを固定することを特徴とする枠体の取付方法。
【請求項３】
請求項１または請求項２に記載の枠体の取付方法であって、
前記アタッチメントは、当該アタッチメントが前記躯体に取り付けられた際に外部に露出しないことを特徴とする枠体の取付方法。
【請求項４】
請求項１乃至請求項３のいずれかに記載の枠体の取付方法であって、
前記アタッチメントは、前記枠体の長手方向の長さより短いことを特徴とする枠体の取付方法。
【請求項５】
枠体と、前記枠体を躯体に取付具にて取付けるアタッチメントとを有する枠体ユニットであって、
前記アタッチメントは、前記枠体と当接する当接面部と、前記当接面部の見込み方向における両側に設けられた一対の脚部と、を備え、
前記当接面部が、前記枠体を固定具で固着するための枠体固定部を備え、
前記脚部の一方が、前記躯体に取り付けるための取付部を一体に備えて、
前記躯体への前記取付具の取付方向が異なる複数種類のアタッチメントから選択され、
前記枠体は、前記枠体取付部と当接して、前記固定具で固着される被枠体固定部を備えており、
前記枠体が前記固定具で一体に固着され、選択された前記アタッチメントが、前記取付部にて前記躯体に取り付けられることを特徴とする枠体ユニット。
【請求項６】
請求項５に記載の枠体ユニットであって、
前記複数種類のアタッチメントの前記取付具の取付方向は、鉛直方向、水平方向、水平方向に対して斜め、のいずれかであることを特徴とする枠体ユニット。
【請求項７】
請求項６に記載の枠体ユニットであって、
前記枠体と前記アタッチメントとの固定部は、前記枠体に取り付けられた際に外部に露出しない位置に設けられていることを特徴とする枠体ユニット。
【請求項８】
請求項５乃至請求項７のいずれかに記載の枠体ユニットであって、
前記アタッチメントは、当該アタッチメントが前記躯体に取り付けられた際に外部に露出しないことを特徴とする枠体ユニット。
【請求項９】
請求項５乃至請求項８のいずれかに記載の枠体ユニットであって、
前記アタッチメントは、前記枠体の長手方向の長さより短いことを特徴とする枠体ユニット。
【発明の詳細な説明】
【技術分野】
【０００１】
本発明は、壁に設けられる枠体の取付方法及び前記枠体を有する枠体ユニットに関する。
【背景技術】
【０００２】
壁に設けられる枠体の取付方法及び枠体ユニットとしては、例えば、プレキャスト（ＰＣ）構造の建造物の、開口部の各内周面の見込み方向に通孔を形成し、通孔内に埋設した木柱にサッシ枠体を取り付けるための補助枠体をねじ止めし、補助枠体にサッシ枠体を連結するサッシ枠体の取付装置が知られている(例えば、特許文献１参照)。このようなサッシ枠体の取り付けは、木造建造物用のサッシ枠体をＰＣ構造の建造物に使用することを可能とし、予めＰＣパネルに通孔を設けて木柱を埋設し、木柱に補助枠体を取り付けると共に、補助枠体に対しサッシ枠体を付け替え可能としている。
【特許文献１】特開平１０−１３１６１９号公報
【発明の開示】
【発明が解決しようとする課題】
【０００３】
しかしながら、例えば木造の戸建て住宅の場合などは、躯体の構造が住宅毎に異なる場合があり、各々異なる建物に同一の補助枠体が取り付けられないためにサッシ枠体が取り付けられないという課題がある。
【０００４】
本発明は、かかる課題に鑑みてなされたものであり、その目的とするところは、互いに異なる構造の躯体であっても取り付けることが可能な枠体の取付方法及び枠体を有する枠体ユニットを提供することにある。
【課題を解決するための手段】
【０００５】
かかる目的を達成するために本発明の枠体の取付方法は、壁に設けられる枠体と、前記壁内の躯体と前記枠体との間に介在され、前記躯体への取付具の取付方向が互いに異なる複数種類のアタッチメントから選択したアタッチメントと、を、前記枠体の被枠体固定部と前記アタッチメントの枠体固定部とにて固定具で固定する固定工程と、前記枠体が固定された前記アタッチメントを、当該アタッチメントの取付部にて前記取付具により前記躯体に取り付ける取付工程と、を有することを特徴とする枠体の取付方法である。  
このような枠体の取付方法によれば、枠体は、躯体への取付具の取付方向が異なる複数種類のアタッチメントから選択したアタッチメントを介して躯体に取り付けられるので、互いに異なる構造の躯体であっても同一の枠体を取り付けることが可能である。
【０００６】
かかる枠体の取付方法であって、前記アタッチメントが前記躯体に取り付けられた際に外部に露出しない位置にて、前記枠体と前記アタッチメントとを固定することが望ましい。  
このような枠体の取付方法によれば、枠体とアタッチメントとは、アタッチメントが躯体に取り付けられた際に外部に露出しない位置にて固定されるので、例えばねじ等の固定具が外部に露出しない。このため、内装の美観を損なうことなく枠体を取り付けることが可能である。
【０００７】
かかる枠体の取付方法であって、前記アタッチメントは、当該アタッチメントが前記躯体に取り付けられた際に外部に露出しないことが望ましい。  
このような枠体の取付方法によれば、枠体を躯体に取り付けるためのアタッチメントは外部に露出しないので、アタッチメントには美観が要求されない。このため、アタッチメントの形状に対する自由度が高まり、取り付け易いアタッチメントを形成して容易に取り付けることが可能である。
【０００８】
かかる枠体の取付方法であって、前記アタッチメントは、前記枠体の長手方向の長さより短いことが望ましい。  
このような枠体の取付方法によれば、アタッチメントは、枠体の長手方向の長さより短いので、搬送及び取り回しが容易で施工性に優れているため、枠体を容易に取り付けることが可能である。
【０００９】
また、枠体と、前記枠体を躯体に取付具にて取付けるアタッチメントとを有する枠体ユニットであって、前記アタッチメントは、前記枠体と当接する当接面部と、前記当接面部の見込み方向における両側に設けられた一対の脚部と、を備え、前記当接面部が、前記枠体を固定具で固着するための枠体固定部を備え、前記脚部の一方が、前記躯体に取り付けるための取付部を一体に備えて、前記躯体への前記取付具の取付方向が異なる複数種類のアタッチメントから選択され、前記枠体は、前記枠体取付部と当接して、前記固定具で固着される被枠体固定部を備えており、前記枠体が前記固定具で一体に固着され、選択された前記アタッチメントが、前記取付部にて前記躯体に取り付けられることを特徴とする枠体ユニットである。  
このような枠体ユニットによれば、枠体が当接面部に当接されて枠体固定部に固定され、取付部にて躯体に取り付けられて枠体と躯体との間に介在されるアタッチメントは、躯体への取付具の取付方向が異なる複数種類のアタッチメントから選択したアタッチメントなので、互いに異なる構造の躯体であっても容易に取り付けることが可能な枠体ユニットを提供することが可能である。
【００１０】
かかる枠体ユニットであって、前記複数種類のアタッチメントの前記取付具の取付方向は、鉛直方向、水平方向、水平方向に対して斜め、のいずれかであることが望ましい。  
このような枠体ユニットによれば、複数種類のアタッチメントの取付具の取付方向は、鉛直方向、水平方向、水平方向に対して斜め、のいずれかなので、躯体の取り付け面がいずれの方向に向いていたとしても、躯体の取り付け面に対応するいずれかのアタッチメントを選択して枠体を躯体に取り付けることにより、枠体を躯体に強固に取り付けることが可能である。
【００１１】
かかる枠体ユニットであって、前記枠体と前記アタッチメントとの固定部は、前記枠体に取り付けられた際に外部に露出しない位置に設けられていることが望ましい。  
このような枠体ユニットによれば、枠体とアタッチメントとは、アタッチメントが躯体に取り付けられた際に外部に露出しない位置にて固定されるので、例えばねじ等の固定具は外部に露出しない。このため、内装の美観を損なうことなく取り付けることが可能な枠体ユニットを提供することが可能である。
【００１２】
かかる枠体ユニットであって、前記アタッチメントは、当該アタッチメントが前記躯体に取り付けられた際に外部に露出しないことが望ましい。  
このような枠体ユニットによれば、枠体を躯体に取り付けるためのアタッチメントは外部に露出しないので、アタッチメントには美観が要求されない。このため、アタッチメントの形状に対する自由度が高まり、取り付け易いアタッチメント備えた枠体ユニットを提供することが可能である。
【００１３】
かかる枠体ユニットであって、前記アタッチメントは、前記枠体の長手方向の長さより短いことが望ましい。  
このような枠体ユニットによれば、アタッチメントは枠体の長手方向の長さより短いので、収容部ペースを小さくすることが可能であり、また、取り付け時の取り回しがし易く、軽量で安価な枠体ユニットを提供することが可能である。
【発明の効果】
【００１４】
本発明によれば、互いに異なる構造の躯体であっても取り付けることが可能な枠体の取付方法及び枠体を有する枠体ユニットを提供することが可能である。
【発明を実施するための最良の形態】
【００１５】
以下、本発明の一実施形態に係る枠体の取付方法及び枠体を有する枠体ユニットについて図を参照して説明する。
【００１６】
本実施形態に係る枠体ユニット１０は、図１〜図３に示すように、二つの空間を仕切る壁１に設けられたＦＩＸ窓の枠体１２と、壁１内の躯体７と枠体１２との間に介在され、枠体１２が固定されて躯体７に取り付けられるアタッチメント２０とを有している。以下の説明では、二つの空間を区別するために、一方の空間を廊下とし、他方の空間を居室とし、便宜上居室側を内側、廊下側を外側として説明する。
【００１７】
本実施形態の壁１は、廊下側に設けられた外面材３と居室側に設けられた内面材５と、外面材３と内面材５との間に設けられた躯体７としての、複数の柱（不図示）、間柱（不図示）、方立７ａ、窓まぐさ７ｂ、窓台７ｃ等を有している。そして、壁１を形成する隣接する２本の柱間に渡された窓まぐさ７ｂ、窓台７ｃ、及び窓まぐさ７ｂと窓台７ｃとの間に設けられた方立７ａに囲まれた部位によって開口が形成されている。この開口に枠体１２が設けられている。
【００１８】
枠体１２は、押出型材でなる一対の縦枠１４と、押出型材でなる一対の横枠１６とを有し、一対の縦枠１４間に、横枠１６が縦枠１４の上端部と下端部とに見付け方向における両側からねじ止めされて矩形状に形成されている。本実施形態の縦枠１４と横枠１６との断面形状は、縦枠１４と横枠１６とを固定するためのねじの螺合部１６ａが横枠１６に設けられている点のみが相違する。
【００１９】
そして、左右の縦枠１４は、開口の左右に位置する方立７ａに、上側の横枠１６は開口の上方に位置する窓まぐさ７ｂに、下側の横枠１６は開口の下方に位置する窓台７ｃに、それぞれアタッチメント２０を介して取り付けられている。
【００２０】
ところで、枠体１２が取り付けられるべき躯体は、施工現場により異なることがある。例えば、戸建て住宅などでは、外部に露出する窓枠の形状は同じであるが、躯体の形状が個々に相違する場合がある。この場合には、それぞれの躯体に合わせた枠体を用いるか、または枠体の形状や施工現場の状況に合わせて躯体を加工する必要がある。このため、本実施形態の枠体ユニット１０は、各住宅に共通に用いられる枠体１２と、共通の枠体１２を固定する部分は同一であるが躯体７への取付部分が、互いに相違する複数種類のアタッチメント２０のうちから、施工現場の躯体の形状や施工現場の状況に合わせて適宜選択され、躯体７と枠体１２との間に介在される。
【００２１】
本実施形態のアタッチメント２０は、方立７ａ、窓まぐさ７ｂ、窓台７ｃと各縦枠１４及び各横枠１６との間に配置される。本実施形態では、縦枠１４及び横枠１６と方立７ａ、窓まぐさ７ｂ、窓台７ｃとの間隔が、同一になるように構成されており、縦枠１４及び横枠１６の断面形状も上述したようにねじ螺合部１６ａを除いて同じであるため、縦枠１４及び横枠１６と方立７ａ、窓まぐさ７ｂ、窓台７ｃとの間に介在されるアタッチメント２０はいずれも共通である。以下の説明では、アタッチメント２０として、アタッチメント２０を取り付ける木ねじ３０の取付方向が、鉛直方向及び水平方向に対し斜めとなる木ねじ３０にて枠体１２が躯体７に取り付けられるアタッチメント２０が選択された例について説明する。木ねじ３０が斜めに螺合される状況としては、例えば、枠体ユニット１０が取り付けられる開口寸法が小さく、電機ドライバー等の工具にて鉛直方向に木ねじを螺合できない場合が考えられる。
【００２２】
アタッチメント２０は、押出型材であり押出方向が縦枠１４及び横枠１６の長手方向に沿うように配置され、図１に示すように、縦枠１４の上下方向の長さ及び横枠１６の見付け方向の長さより短く、縦枠１４及び横枠１６を躯体７に固定する位置、すなわち縦枠１４及び横枠１６の長手方向におけるほぼ中央に設けられている。ここで、アタッチメント２０は、縦枠１４及び横枠１６の長さ等に応じて適宜設定され、配置する位置及び数は、これに限るものではない。
【００２３】
本実施形態の枠体１２とアタッチメント２０の断面形状及び取付方法は、縦枠１４も横枠１６も同じなので、ここでは下側の横枠１６が躯体７に取り付けられている部位を例に挙げて、枠体１２及びアタッチメント２０の構成、取付方法について説明する。尚、図２〜図５については、上側の横枠１６及び左右の縦枠１４、アタッチメント２０、２７，２８において同じ機能をなす部位には同符号を付し、明細書の説明は省略する。このとき、下側の横枠１６の説明における上下方向は、上側の横枠１６では上下が反転しており、また、左右の縦枠１４では見付け方向に相当する。
【００２４】
下側の横枠１６は、開口の内側となる上面部１６ｂと、上面部１６ｂから上方に立設されてＦＩＸ窓のガラス１８の外面が当接されるガラス当接部１６ｃと、ガラス１８を居室側から押圧する押縁１９が嵌合される一対の嵌合片１６ｄと、上面部１６ｂの下面から見込み方向に間隔を隔てて垂設されアタッチメント２０に当接される２つ当接部１６ｅと、２つの当接部１６ｅの間にて上面部１６ｂの下面から垂設されてアタッチメント２０を貫通する固定具としてのねじ３２が螺合される被枠体固定部としてのねじ螺合部１６ｆと、廊下側の端部にて外面材３の上端部３ａを覆う外面覆部１６ｇと居室側の端部にて内面材５の端５ａの上部を覆う内面覆部１６ｈとを有している。
【００２５】
上面部１６ｂは、上側の横枠１６と対向するほぼ水平な上面を有し、見付け方向における廊下側に偏った位置に、ほぼ板状のガラス当接部１６ｃが立設されている。ガラス当接部１６ｃの下端近傍、すなわち、上面部１６ｂより僅かに上側に居室側に突出する突起１６ｉが設けられており、上面部１６ｂの見込み方向におけるほぼ中央にて上方に突出された突起１６ｊと共に一対の嵌合片１６ｄを構成している。
【００２６】
上面部１６ｂの下面から垂設された２つの当接部１６ｅは、見込み方向においてアタッチメント２０とほぼ同じ幅を有しており、２つの当接部１６ｅの下端には、互いに対向する側に僅かに延出された延出部１６ｋが設けられている。この延出部１６ｋが、アタッチメント２０の後述する上面２２ａに当接される。
【００２７】
アタッチメント２０は、横枠１６の２つの延出部１６ｋと当接する上面２２ａを有する当接面部２２と、当接面部２２の見込み方向における両側から垂設された脚部２４と居室側の脚部２４に設けられアタッチメント２０を躯体７に取り付けるための取付部２６とを有している。
【００２８】
当接面部２２は、ほぼ平坦な板状をなし中央に横枠１６のねじ螺合部１６ｆに螺合されるねじ３２が貫通する貫通孔(不図示）を含む部位でなる枠体固定部１６ｍと、上面２２ａに上方に向かって立設された２本のリブ２２ｂとを有している。２本のリブ２２ｂは、当接面部２２の廊下側及び居室側の縁、すなわち脚部２４より僅かに内側に１本ずつ見付け方向に沿って設けられている。２本のリブ２２ｂの見込み方向における間隔は、横枠１６の延出部１６ｋの見込み方向の間隔より僅かに狭く形成されている。
【００２９】
当接面部２２の両端から垂設された脚部２４の下端には、互いに対向する側に僅かに延出された延出片２４ａが設けられている。この延出片２４ａが、躯体７に当接される。
【００３０】
そして、アタッチメント２０に横枠１６が当接された際には、当接面部２２のリブ２２ｂより廊下側及び居室側にそれぞれ横枠１６の延出部１６ｋが当接される。また、このとき、横枠１６のねじ螺合部１６ｆとアタッチメント２０の枠体固定部１６ｍとが当接されるとともにねじ螺合部１６ｆのねじ穴（不図示）と枠体固定部１６ｍが有する貫通孔(不図示）とが重なって配置される。そして、横枠１６とアタッチメント２０とは、貫通孔(不図示）を貫通されたねじ３２がねじ穴（不図示）に螺合されて一体に固着される。
【００３１】
横枠１６とアタッチメント２０とが固定された状態では、当接部１６ｅの廊下側の面と脚部２４の廊下側の面とは、ほぼ平面をなし、アタッチメント２０が躯体７に取り付けられ外面材３が取り付けられると外面材３の居室側の面と対向する。
【００３２】
居室側の脚部２４には、取付部２６が設けられており、本実施形態のアタッチメント２０は、鉛直方向及び水平方向に対し斜めに木ねじ３０が螺合されて枠体１２が躯体７に固定されるアタッチメント２０なので、取付部２６は脚部２４の半分より下端側から居室方向に向かって下方に傾斜する板状の部位にて形成され、中央に取付具としての木ねじ３０が挿通される挿通孔(不図示）が設けられている。また、取付部２６の下縁は、脚部２４の延出片２４ａの下縁より下方には突出しないように構成されている。
【００３３】
そして、縦枠１４及び横枠１６には、アタッチメント２０が、ねじ３２にて固着され（固定工程）、縦枠１４または横枠１６の脚部２４の延出片２４ａが躯体７に当接され、居室側から取付部２６に斜めに挿通されて躯体７に螺合される木ねじ３０にて縦枠１４または横枠１６が取り付けられる（取付工程）。その後、躯体７上の居室側の部位に、内面材５にて形成される開口の内周面の高さを合わせるための木材３３を設け、内壁材５を取り付けて開口の内周面を形成する。
【００３４】
上記アタッチメント２０は、木ねじ３０の取付方向が鉛直方向及び水平方向に対し斜めとなるように木ねじ３０が螺合されるタイプのアタッチメント２０であったが、図４に示すように、居室側の脚部２４の下端から居室方向にほぼ水平に延出された取付部３４を有し、鉛直方向に螺合される木ねじ３０にて、枠体１２が躯体７に固定されるアタッチメント２７や、図５に示すように、居室側の脚部２４が下方に延出された取付部３５を有し、水平方向に螺合される木ねじ３０にて、枠体１２が躯体７に固定されるアタッチメント２８など、取付具の取付方向が、鉛直方向、水平方向、水平方向に対して斜め、のいずれかである複数種類のアタッチメントが用意されており、躯体の形状や施工現場の状況に合わせて適宜選択される。また、アタッチメントは、木ねじの螺合方向が異なるのみならず、脚部の長さ等が相違し、躯体の形状や施工現場の状況に合うように複数種類用意されている。
【００３５】
本実施形態の枠体ユニット１０及び枠体ユニット１０の取付方法によれば、枠体１２は、躯体７への取付具の取付方向が互いに異なる複数種類のアタッチメント２０、２７、２８から選択したアタッチメント２０、２７、２８を介して躯体７に取り付けられるので、互いに異なる構造の躯体７であっても同一の枠体１２を取り付けることが可能である。
【００３６】
また、複数種類のアタッチメント２０、２７、２８の木ねじ３０の取付方向は、鉛直方向、水平方向、水平方向に対して斜め、のいずれかなので、躯体７の取り付け面がいずれの方向に向いていたとしても、躯体７の取り付け面に対応するいずれかのアタッチメント２０、２７、２８を選択して枠体１２を躯体７に取り付けることにより、枠体１２を躯体７に強固に取り付けることが可能である。
【００３７】
また、枠体１２とアタッチメント２０、２７、２８とは、アタッチメント２０、２７、２８が躯体７に取り付けられた際に外部に露出しない位置、すなわち枠体１２の躯体７側にて固定されるので、例えばねじ３２等の取付具が外部に露出しない。このため、内装の美観を損なうことなく枠体１２を取り付けることが可能である。
【００３８】
また、枠体１２を躯体７に取り付けるために必要なアタッチメント２０は、枠体１２の躯体７側に位置して枠体１２に覆われるので外部に露出せず、アタッチメント２０、２７、２８には美観が要求されない。このため、アタッチメント２０、２７、２８の形状に対する自由度が高まり、取り付け易いアタッチメント２０、２７、２８を形成して容易に取り付けることが可能である。
【００３９】
また、アタッチメント２０、２７、２８は、枠体１２の長手方向の長さより短いので、在庫の保管、搬送及び現場での取り回しが容易で施工性に優れているため、枠体１２を容易に取り付けることが可能である。また、枠体と一体の押出材にて形成した場合より材料費を低減し、重量を軽減することが可能である。
【００４０】
上記実施の形態においては、枠体ユニット１０をＦＩＸ窓の枠体を構成する枠体ユニットを例に挙げて説明したが、これに限定されるものではなく、例えば、障子を備えた開き戸や引き戸を有する建具の枠体を構成する枠体ユニットであっても構わない。
【００４１】
また、枠体ユニット１０が設けられる壁を廊下と居室とを仕切る屋内の壁を例に挙げて説明したが、屋内に限らず外壁であっても構わない。また、枠体ユニット１０が取り付けられる躯体を木製の躯体としたが、金属製の躯体であってもよく、この場合には、取付具としてはドリルビスが用いられる。
【００４２】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４３】
【図１】本実施形態に枠ユニットの外観図である。
【図２】図１の縦断面図である。
【図３】図２の水平断面図である。
【図４】ねじの取付方向が鉛直の場合に用いられるアタッチメントを説明するための図である。
【図５】ねじの取付方向が水平の場合に用いられるアタッチメントを説明するための図である。
【符号の説明】
【００４４】
１  壁、７  躯体、７ａ  方立、７ｂ  窓まぐさ、７ｃ  窓台、
１０  枠体ユニット、１２  枠体、１４  縦枠、１６  横枠、１６ｆ  ねじ螺合部、
１６ｍ  枠体固定部、２０  アタッチメント、２２  当接面部、２４  脚部、
２６  取付部、２７  アタッチメント、２８  アタッチメント、３０  木ねじ、
３２  ねじ、３４  取付部、３５  取付部
【図１】
2009243047.tif 000003
【図２】
2009243047.tif 000004
【図３】
2009243047.tif 000005
【図４】
2009243047.tif 000006
【図５】
2009243047.tif 000007